【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】
１）ジプロピレングリコール、エチレングリコールグリセリルエーテル、プロピレングリコールグリセリルエーテル、ソルビット、イソプレングリコール及び１，４−ブタンジオールジエチレングリコールから選ばれる１種又は２種以上の化合物と、２）テルペン、ステロイド及びそれらの配糖体、並びにテルペン、ステロイド及びそれらの配糖体を含有する生薬エキスから選ばれる１種又は２種以上の末梢血管拡張作用を有する物質とを含有することを特徴とする、頭皮又は頭髪用の洗浄料。
【請求項２】
テルペン及びステロイドが、メントール、グリセロールモノメンチルエーテル、チモール、ウルソール酸、オレアノール酸、エクジステロン、エストラジオール及びエストリオールから選ばれる１種又は２種以上である、請求項１に記載の頭皮又は頭髪用の洗浄料。
【請求項３】
テルペン、ステロイド及びそれらの配糖体を含有する生薬エキスが、ミントエキス、ジュニパーベリーエキス、ユーカリエキス、トウガラシエキス及びローズマリーエキスである、請求項１又は２に記載の頭皮又は頭髪用の洗浄料。
【請求項４】
更に、α−ヒドロキシ酸及び／又はその塩を含有することを特徴とする、請求項１〜３何れか１項に記載の頭皮又は頭髪用の洗浄料。
【請求項５】
α−ヒドロキシ酸が乳酸であることを特徴とする、請求項４に記載の頭皮又は頭髪用の洗浄料。
【請求項６】
頭皮クレンジング料であることを特徴とする、請求項１〜５何れか１項に記載の頭皮又は頭髪用の洗浄料。
【手続補正２】
【補正対象書類名】明細書
【補正対象項目名】０００１
【補正方法】変更
【補正の内容】
【０００１】
【技術分野】
本発明は、頭皮又は頭髪用の洗浄料に関する。
【手続補正３】
【補正対象書類名】明細書
【補正対象項目名】０００３
【補正方法】変更
【補正の内容】
【０００３】
一方、人体より代謝された脂質を除去する手段としては、通常の石鹸やアルキル硫酸塩等のアニオン界面活性剤での洗浄やクレンジングクリームなどの油性クリームによる除去、粘着性シートによる吸着除去などが既に知られている技術であるが、皮脂を特異的に溶解し除去するような成分は知られておらず、通常の洗浄料にこの様な皮脂溶解成分を含有させて、更に皮脂除去作用を高めた洗浄料は全く知られていなかった。従って、この様な成分と末梢血流を改善する成分と組み合わせることにより、この様な溶解・除去作用を向上させうることは想到されなかった。
【手続補正４】
【補正対象書類名】明細書
【補正対象項目名】０００４
【補正方法】変更
【補正の内容】
【０００４】
ジプロピレングリコール及びイソプレングリコールなどの化合物は化粧料の分野で広く使用されているが、これらが皮脂除去作用を有していることは知られておらず、この様な成分を含有する洗浄料が、毛穴の皮脂や古くなった角層などの汚れを除去する作用に優れ、健康な毛髪と皮膚の維持と脱毛の防止に有益であることも全く知られていなかった。
【手続補正５】
【補正対象書類名】明細書
【補正対象項目名】０００５
【補正方法】変更
【補正の内容】
【０００５】
【発明が解決しようとする課題】
本発明はこの様な状況下為されたものであり、皮脂除去作用を高め、健康な毛髪と皮膚の維持と脱毛の防止に有益な洗浄料を提供することを課題とする。
【手続補正６】
【補正対象書類名】明細書
【補正対象項目名】０００６
【補正方法】変更
【補正の内容】
【０００６】
【課題を解決するための手段】
本発明者らは、この様な状況に鑑みて、皮脂除去作用を高め、毛髪の維持と脱毛の防止に有益な洗浄料を提供すべく、鋭意研究努力を重ねた結果、後記（１）に記載の化合物群にこの様な特性を見いだした。更なる検討を加えた結果、このものと末梢血流を増大する成分を組み合わせることにより、かかる皮脂除去作用を高めることができることを見いだし、発明を完成させるに至った。即ち、本発明は以下に示す技術に関するものである。
（１）１）ジプロピレングリコール、エチレングリコールグリセリルエーテル、プロピレングリコールグリセリルエーテル、ソルビット、イソプレングリコール及び１，４−ブタンジオールジエチレングリコールから選ばれる１種又は２種以上の化合物と、２）テルペン、ステロイド及びそれらの配糖体、並びにテルペン、ステロイド及びそれらの配糖体を含有する生薬エキスから選ばれる１種又は２種以上の末梢血管拡張作用を有する物質とを含有することを特徴とする、頭皮又は頭髪用の洗浄料。
（２）テルペン及びステロイドが、メントール、チモール、ウルソール酸、オレアノール酸、エクジステロン、エストラジオール及びエストリオールから選ばれる１種又は２種以上である、（１）に記載の頭皮又は頭髪用の洗浄料。
（３）テルペン、ステロイド及びそれらの配糖体を含有する生薬エキスが、ミントエキス、ジュニパーベリーエキス、ユーカリエキス、トウガラシエキス及びローズマリーエキスである、（１）又は（２）に記載の頭皮又は頭髪用の洗浄料。
（４）更に、α−ヒドロキシ酸及び／又はその塩を含有することを特徴とする、（１）〜（３）何れかに記載の頭皮又は頭髪用の洗浄料。
（５）α−ヒドロキシ酸が乳酸であることを特徴とする、（４）に記載の頭皮又は頭髪用の洗浄料。
（６）頭皮クレンジング料であることを特徴とする、（１）〜（５）何れかに記載の頭皮又は頭髪用の洗浄料。
【手続補正７】
【補正対象書類名】明細書
【補正対象項目名】０００７
【補正方法】変更
【補正の内容】
【０００７】
以下、本発明について実施の形態を中心に更に説明を加える。尚、以下本発明の頭皮又は頭髪用の洗浄料を単に洗浄料と称す。
【手続補正８】
【補正対象書類名】明細書
【補正対象項目名】０００８
【補正方法】変更
【補正の内容】
【０００８】
【発明の実施の形態】
（１）本発明の洗浄料の必須成分である化合物
本発明の洗浄料は、ジプロピレングリコール、エチレングリコールグリセリルエーテル、プロピレングリコールグリセリルエーテル、ソルビット、イソプレングリコール、１，４−ブタンジオールジエチレングリコールから選ばれる化合物を含有することを特徴とする。これらの内では、ジプロピレングリコールとイソプレングリコールが特に好ましい。これらの化合物は、何れも皮脂の溶解作用に優れ、毛穴などに詰まってシャンプーなどによって除去しにくい皮脂を除去しうる作用を有する。これらの化合物が、本発明の洗浄料において皮脂溶解剤として作用する。本発明の洗浄料に於いては、これらの化合物は唯一種を含有させることも出来るし、二種以上を組み合わせて含有させることも出来る。これらの化合物の本発明の洗浄料に於ける好ましい含有量は、洗浄料全量に対して総量で、０．１〜３０重量％であり、更に好ましくは、１〜１５重量％である。これは、剤形にもより異なるが、少なすぎると皮脂除去作用を発揮できない場合があり、多すぎると使用感がベタツキなどで損なわれたり、処方の自由度が損なわれたりする場合があるからである。
【手続補正９】
【補正対象書類名】明細書
【補正対象項目名】０００９
【補正方法】変更
【補正の内容】
【０００９】
（２）本発明の洗浄料の必須成分である、末梢血管拡張作用を有する物質
本発明の洗浄料は、末梢血管拡張作用を有する物質を必須成分として含有することを特徴とする。ここで、本発明でいう末梢血管を拡張させる物質とは、通常医薬の分野で定義している末梢血管拡張剤とは異なり、例えば、ハムスターの口腔内粘膜上の微細血管を用
いたスクリーニングで５％程度の血流量の増加が観察される程度のものでよい。この様な成分としては、メントール（１１％の増加）、チモール（８％増加）、ウルソール酸ナトリウム（７％増加）、オレアノール酸ナトリウム（６％増加）、カプサイシン（１２％増加）、グリセロールモノメンチルエーテル（８％増加）等のテルペン類、エストラジオール（７％増加）、ポリポルステロン（１１％増加）、エクジステロン（６％増加）等のステロイド、メントールグルコシド（６％増加）、ウルソール酸グルコシド（５％増加）等のテルペンの配糖体、エクジステロングルコシド（５％増加）等のステロイドの配糖体などが挙げられる。また、これらの成分を高濃度に含有する生薬エキスであるミントエキス、ジュニパーベリーエキス、ユーカリエキス、トウガラシエキス、ローズマリーエキスなども本発明でいう末梢血管拡張作用を有する物質に属する。本発明の洗浄料に於いては、これらの成分は唯一種のみを含有させることもできるし、２種以上を組み合わせて含有させることもできる。本発明の洗浄料における、かかる成分の好ましい含有量は、洗浄料全量に対して、総量で０．０１〜５重量％であり、更に好ましくは、０．０５〜２重量％である。
【手続補正１０】
【補正対象書類名】明細書
【補正対象項目名】００１０
【補正方法】変更
【補正の内容】
【００１０】
（３）本発明の洗浄料に好ましく含有されるα−ヒドロキシ酸及び／又はその塩
本発明の洗浄料は、α−ヒドロキシ酸及び／又はその塩を含有することが好ましい。これは、この様な成分が皮膚を軟化させ、皮膚より皮脂汚れが離脱しやすくさせる作用を有するからである。かかるα−ヒドロキシ酸としては、乳酸やグリコール酸、リンゴ酸等が例示でき、これらの内では、乳酸とグリコール酸が特に好ましく例示できる。又、これらα−ヒドロキシ酸の塩としては、通常洗浄料で使用されている塩であれば特段の限定を受けずに使用でき、例えば、ナトリウム、カリウムなどのアルカリ金属塩、カルシウム、マグネシウムなどのアルカリ土類金属塩、アンモニウム塩、トリエタノールアミン塩、ジエタノールアミン塩、トリエチルアミン塩等の有機アミン塩、リジン塩やアルギニン塩等の塩基性アミノ酸塩などが好ましく例示できる。本発明の洗浄料に於いては、これらα−ヒドロキシ酸及び／又はその塩は唯一種を含有することも出来るし、二種以上を組み合わせて含有することも出来る。これらα−ヒドロキシ酸及び／又はその塩の、本発明の洗浄料に於ける好ましい含有量は、洗浄料全量に対して、総量で０．０１〜１０重量％であり、更に好ましくは０．０５〜２重量％である。
【手続補正１１】
【補正対象書類名】明細書
【補正対象項目名】００１１
【補正方法】変更
【補正の内容】
【００１１】
（４）本発明の洗浄料
本発明の洗浄料は、上記（１）に記載の化合物及び（２）の末梢血管拡張作用を有する物質を含有し、任意の成分としてα−ヒドロキシ酸及び／又はその塩を好ましくは含有することを特徴とする。ここで、本発明で言う洗浄料とは、生体上に残留していることが好ましくない、過剰に分泌された皮脂、古くなった角層などの成分や汚れ、それらの複合体などを除去する目的で使用される洗浄料を意味し、例えば、シャンプー、リンス等が例示できる。本発明の洗浄料は、その作用として、従来のシャンプーなどのアニオン性界面活性剤や非イオン性界面活性剤等の界面活性剤のみを洗浄料の有効成分とするものでは落としにくい、頭皮或いは毛穴付近に存在する皮脂を落とす作用を有する。本発明の洗浄料は、界面活性剤とともにシャンプーなどに製剤化して使用することも出来るし、非イオン界
面活性剤などともにプレシャンプー用のクレンジングとして製剤化することもできる。この内特に好ましいものは、プレシャンプー用のクレンジングである。これは、本発明の洗浄料の成分が、予め皮脂や油性汚れを落としておくことにより、シャンプーが含有している界面活性剤の洗浄能力を著しく高めることが出来るためである。この様なプレシャンプー用のクレンジング剤形にするには、本発明の洗浄料の必須成分である上記（１）に記載の化合物や皮脂汚れとのなじみの良い非イオン界面活性剤をともに含有することが好ましい。この様な非イオン性界面活性剤としては、例えば、ポリグリセリンの脂肪酸エステルが好ましく例示できる。この場合のポリグリセリンの好ましい平均重合度は４〜２０、更に好ましくは７〜１５が例示できる。又、脂肪酸残基としては、ラウリン酸残基が特に好ましく例示できる。これら非イオン界面活性剤の好ましい含有量は、０．０１〜２０重量％、更に好ましくは０．０５〜１０重量％が例示できる。これは、多すぎるとべたつくなど使用感を損なう場合があり、少なすぎると添加効果が得られない場合があるからである。
【手続補正１２】
【補正対象書類名】明細書
【補正対象項目名】００１２
【補正方法】変更
【補正の内容】
【００１２】
本発明の洗浄料には、上記の成分以外にも、通常洗浄料で使用されている任意成分を、本発明の効果を損ねない範囲に於いて、含有することが出来る。この様な任意成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ジメチコンやフェメチコン、アモジメチコン等のシリコーン類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、キサンタンガム、グァーガム、カルボキシビニルポリマー、カチオン化セルロースエーテル、カチオン化グァーガムなどの増粘・ゲル化剤、酸化防止剤、紫外線吸収剤、香料、色材、防腐剤、粉体、トウガラシチンキやメントールなどの清涼成分等が好ましく例示できる。これらの成分を常法に従って処理することにより、本発明の洗浄料は製造することが出来る。
【手続補正１３】
【補正対象書類名】明細書
【補正対象項目名】００１４
【補正方法】変更
【補正の内容】
【００１４】
＜実施例１＞
以下に示す処方に従って、本発明の洗浄料である、プレシャンプー用のクレンジング１を作成した。即ち、処方成分を７０℃で加熱、攪拌して可溶化し、攪拌冷却してプレシャンプー用のクレンジング１を得た。別途、このもののジプロピレングリコールを全て１，３−ブタンジオールに置換した比較例１、Ｌ−メントールとトウガラシチンキとを水に置換した比較例２及びジプロピレングリコールを１，３−ブタンジオールに、且つ、Ｌ−メントールとトウガラシチンキとを水に置換した比較例３も作成した。これらを用いて、脂性の人の頭皮より、脂質を除去する検討を行った。即ち、頭の半分を本発明のクレンジン
グ１を５ｍｌふりかけ、良くマッサージした後、洗い流した。同様にして残りの頭部の半分を比較例１で処理し、これらの処理後の写真をビデオマイクロスコープで撮影した。図１にクレンジング１で処理した部位の写真を示す。図２に比較例１で処理した部位の写真を、図３に比較例２で処理した後の写真を、図４に比較例３で処理した後の写真を示す。これらを比較すると、本発明の洗浄料である、クレンジング１による処理が有意に脂質汚れを除去していることが判る。これは、本発明の必須成分である上記（１）に記載の化合物と末梢血管拡張作用を有する物質であるＬ−メントールとの相乗作用によるものであることもわかる。
ジプロピレングリコール           １５    重量部
エタノール                       １５    重量部
カルボキシビニルポリマー           ０．５重量部
１０％苛性カリ水溶液               ２    重量部
シリコーンエマルジョン             ３    重量部
Ｌ−メントール                     １    重量部
キサンタンガム                     ０．１重量部
乳酸ナトリウム                     ０．１重量部
デカグリセリンラウリン酸エステル １０    重量部
トウガラシチンキ                   １    重量部
水                               ５２．３重量部
【手続補正１４】
【補正対象書類名】明細書
【補正対象項目名】００１８
【補正方法】変更
【補正の内容】
【００１８】
＜実施例４＞
以下に示す処方に従って、本発明の洗浄料である、シャンプー１を作成した。即ち、処方成分を７０℃で加熱、攪拌して可溶化し、攪拌冷却してシャンプー１を得た。このものの洗髪後の写真ビデオマイクロスコープで撮影した。このものは通常のシャンプーより脂質除去作用にすぐれるものの、プレシャンプー処理をした後シャンプーしたものには及ばなかった。また、乳酸ナトリウムを水に置換した比較例４はこのものよりも更に脂質除去作用は劣っており、α−ヒドロキシ酸の添加効果は確かめられた。
イソプレングリコール                               ５    重量部
乳酸ナトリウム                                     ０．５重量部
ポリオキシエチレンラウリル硫酸ナトリウム         １０    重量部
ポリオキシエチレンヤシ油脂肪酸モノエタノールアミド ５    重量部
ラウリル硫酸ナトリウム                             ２    重量部
１，３−ブタンジオール                             ５    重量部
ユーカリエキス                                     ０．１重量部
水                                               ７２．４重量部
【手続補正１５】
【補正対象書類名】明細書
【補正対象項目名】００１９
【補正方法】変更
【補正の内容】
【００１９】
【発明の効果】
本発明によれば、皮脂除去作用を高め、毛髪の維持と脱毛の防止に有益な洗浄料を提供することができる。